(57)【要約】  変調信号を生成するための回路（２）を備えたデバイス（１）において、データ信号（ＤＳ）を受信し、データ信号（ＤＳ）に応じて変調信号（Ｓ）を生成するようにされた変調デバイス（９；５９）が与えられ、受信したデータ信号（ＤＳ）に応じて変調信号（Ｓ）を生成するために、変調信号（Ｓ）の少なくとも２つの特徴信号値（Ｆ１、Ｆ２；Ａ１、Ａ２）間で選択がなされ、プログラム可能に、データ信号（ＤＳ）に応じて、特徴信号値（Ｆ１、Ｆ２；Ａ１、Ａ２）の少なくとも１つを調節するように設計された調節デバイス（１３）がさらに与えられる。
2005510929.tif 000002
【特許請求の範囲】
【請求項１】
変調信号を生成する回路を備え、前記回路に、データ信号を受信し、前記データ信号に応じて前記変調信号を生成するように設計された変調手段が与えられ、前記受信したデータ信号に応じて前記変調信号を生成するために、前記変調信号の少なくとも２つの特徴信号値のいずれかの選択が可能なデバイスであって、前記特徴信号値の少なくとも１つを、プログラム可能に、前記データ信号に応じて、調節するように設計された調節手段が与えられることを特徴とする、デバイス。
【請求項２】
前記変調手段が、前記変調信号を形成する周波数変調信号を生成する周波数変調手段により構成され、前記回路が、前記周波数変調手段において少なくとも部分的に含まれる発振器ステージであって、修正可能な周波数を有する周波数変調信号を生成するように設計された発振器ステージを形成し、前記発振器ステージが、前記周波数変調信号の少なくとも２つの周波数を確立するように設計されたコンデンサ構成を有し、前記発振器ステージが、前記少なくとも２つの周波数の１つを選択するために、前記データ信号に応じて、前記コンデンサ構成を切り換えるように与えられたスイッチ手段を有するデバイスであって、前記調節手段が、プログラム可能に、前記データ信号に応じて、前記周波数変調信号の前記少なくとも２つの周波数を調節するように設計されたことを特徴とする、請求項１に記載のデバイス。
【請求項３】
前記コンデンサ構成が、多数のコンデンサを有し、前記スイッチ手段が、多数のスイッチを有し、少なくとも１つのコンデンサがスイッチに割り当てられ、前記多数のコンデンサおよび前記多数のスイッチが、前記調節手段の構成部品を形成し、制御手段が与えられ、前記制御手段を用いて、前記周波数変調信号の前記少なくとも２つの周波数を調節するために、前記スイッチが、プログラム可能に、スイッチ状態に対して前記データ信号に応じて制御可能であることを特徴とする、請求項２に記載のデバイス。
【請求項４】
前記制御手段が、少なくとも２つの調節データワードを送出して、スイッチ状態に対して前記スイッチに影響するように与えられたデータソースを有し、前記制御手段が、前記データ信号に応じて、前記データソースによって送出可能な前記少なくとも２つの調節データワードの１つを選択するように設計された調節データワード選択手段を有することを特徴とする、請求項３に記載のデバイス。
【請求項５】
前記制御手段が、調節データワードを受信し、前記受信した調節データワードを復号し、前記復号された調節データワードに応じてスイッチ状態に対して前記スイッチを制御するように設計された復号ステージを有することを特徴とする、請求項４に記載のデバイス。
【請求項６】
少なくとも１つの調節データワードを格納するようにされた調節データ格納手段が与えられることを特徴とする、請求項４に記載のデバイス。
【請求項７】
前記多数のコンデンサが、少なくとも２つのコンデンサグループにさらに分割され、コンデンサグループのすべてのコンデンサが、同一の静電容量を有することを特徴とする、請求項３に記載のデバイス。
【請求項８】
前記変調手段が、キャリヤ信号を利用して前記変調信号を形成する振幅変調信号を生成する振幅変調手段により構成され、前記回路が、前記振幅変調手段に少なくとも部分的に含まれ、前記振幅変調信号の少なくとも２つの振幅を規定するようにされた振幅規定手段を構成し、前記振幅変調手段が、前記２つの振幅の少なくとも１つを選択するために、前記データ信号に応じて、前記振幅規定手段に影響するように与えられた制御可能な電流伝達手段を有するデバイスであって、前記調節手段が、プログラム可能に、前記データ信号に応じて、前記振幅変調信号の少なくとも１つの振幅を調節するように設計されたことを特徴とする、請求項１に記載のデバイス。
【請求項９】
前記振幅規定手段が、制御可能な電流伝達手段を用いて与えられ、前記制御可能な電流伝達手段が、電流が伝導状態にある各電流伝達ステージに割り当てられる多数の電流伝達ステージを有し、前記多数の電流伝達ステージが、前記調節手段の素子を形成し、制御手段が与えられ、前記制御手段を用いて、前記振幅変調信号の前記少なくとも１つの振幅を調節するために、前記電流伝達ステージが、プログラム可能に、伝導状態に関連して前記データ信号に応じて制御可能であることを特徴とする、請求項８に記載のデバイス。
【請求項１０】
前記制御手段が、少なくとも２つの調節データワードを送出して、伝導状態に対して前記電流伝達ステージに影響するように与えられたデータソースを有し、前記制御手段が、前記データ信号に応じて、前記データソースによって送出可能な前記少なくとも２つの調節データワードの１つを選択するように設計された調節データワード選択手段を有することを特徴とする、請求項９に記載のデバイス。
【請求項１１】
前記制御手段が、調節データワードを受信し、前記受信した調節データワードを復号し、前記復号された調節データワードに応じて伝導状態に対して前記電流伝達ステージを制御するように設計された復号ステージを有することを特徴とする、請求項１０に記載のデバイス。
【請求項１２】
少なくとも１つの調節データワードを格納するようにされた調節データ格納手段が与えられることを特徴とする、請求項１０に記載のデバイス。
【請求項１３】
前記多数の電流伝達ステージが、異なる伝導特性を有するトランジスタによって形成されることを特徴とする、請求項９に記載のデバイス。
【請求項１４】
前記制御手段が、前記キャリヤ信号を前記電流伝達ステージに転送するように設計されたキャリヤ信号転送手段を有し、前記キャリヤ信号転送手段を用いて前記電流伝達ステージが、伝導状態に対して前記キャリヤ信号に応じて制御可能でもあることを特徴とする、請求項９に記載のデバイス。
【請求項１５】
前記キャリヤ信号を利用して、前記キャリヤ信号転送手段用の電圧供給を生成するように設計された前記転送手段用の前記電圧供給生成手段が与えられることを特徴とする、請求項１４に記載のデバイス。
【請求項１６】
変調信号を生成するための回路であって、データ信号を受信し、前記データ信号に応じて前記変調された信号を生成するように設計された変調手段が与えられ、前記受信したデータ信号に応じて前記変調された信号を生成するために、前記変調信号の少なくとも２つの特徴信号値の間の選択が可能であって、プログラム可能に、前記データ信号に応じて、前記特徴信号値の少なくとも１つを調節するように設計された調節手段が与えられることを特徴とする、回路。
【請求項１７】
前記変調手段が、前記変調信号を形成する周波数変調信号を生成する周波数変調手段により構成され、前記回路が、前記周波数変調手段において少なくとも部分的に含まれ、修正可能な周波数を有する周波数変調信号を生成するように設計された発振器ステージを形成し、前記発振器ステージが、周波数変調信号の少なくとも２つの周波数を確立するように設計されたコンデンサ構成を有し、前記発振器ステージが、前記少なくとも２つの周波数の１つを選択するために、前記データ信号に応じて、前記コンデンサ構成を切り換えるように与えられたスイッチ手段を有し、前記調節手段が、プログラム可能に、前記データ信号に応じて、前記周波数変調信号の前記少なくとも２つの周波数を調節するように設計されたことを特徴とする、請求項１６に記載の回路。
【請求項１８】
前記コンデンサ構成が、多数のコンデンサを有し、前記スイッチ手段が、多数のスイッチを有し、少なくとも１つのコンデンサがスイッチに割り当てられ、前記多数のコンデンサおよび前記多数のスイッチが、前記調節手段の構成部品を形成し、制御手段が与えられ、前記制御手段を用いて、前記周波数変調信号の前記少なくとも２つの周波数を調節するために、前記スイッチが、プログラム可能に、スイッチ状態に対して前記データ信号に応じて制御可能であることを特徴とする、請求項１７に記載の回路。
【請求項１９】
前記制御手段が、少なくとも２つの調節データワードを送出して、スイッチ状態に対して前記スイッチに影響するように与えられたデータソースを有し、前記制御手段が、前記データ信号に応じて、前記データソースによって送出可能な前記少なくとも２つの調節データワードの１つを選択するように設計された調節データワード選択手段を有することを特徴とする、請求項１８に記載の回路。
【請求項２０】
前記制御手段が、調節データワードを受信し、前記受信した調節データワードを復号し、前記復号された調節データワードに応じてスイッチ状態に対して前記スイッチを制御するように設計された復号ステージを有することを特徴とする、請求項１９に記載の回路。
【請求項２１】
少なくとも１つの調節データワードを格納するようにされた調節データ格納手段が与えられることを特徴とする、請求項２０に記載の回路。
【請求項２２】
前記多数のコンデンサが、少なくとも２つのコンデンサグループにさらに分割され、コンデンサグループのすべてのコンデンサが、同一の静電容量を有することを特徴とする、請求項１８に記載の回路。
【請求項２３】
前記変調手段が、キャリヤ信号を利用して前記変調信号を形成する振幅変調信号を生成する振幅変調手段により構成され、前記回路が、前記振幅変調手段に少なくとも部分的に含まれ、前記振幅変調信号の少なくとも２つの振幅を規定するようにされた振幅規定手段を構成でき、前記振幅変調手段が、前記２つの振幅の少なくとも１つを選択するために、前記データ信号に応じて、前記振幅規定手段に影響するように与えられた制御可能な電流伝達手段を有し、前記調節手段が、プログラム可能に、前記データ信号に応じて、前記振幅変調信号の少なくとも１つの振幅を調節するように設計されたことを特徴とする、請求項１６に記載の回路。
【請求項２４】
前記振幅規定手段が、制御可能な電流伝達手段を用いて与えられ、前記制御可能な電流伝達手段が、電流が伝導状態にある各電流伝達ステージに割り当てられる多数の電流伝達ステージを有し、前記多数の電流伝達ステージが、前記調節手段の素子を形成し、制御手段が与えられ、前記制御手段を用いて、前記振幅変調信号の前記少なくとも１つの振幅を調節するために、前記電流伝達ステージが、プログラム可能に、伝導状態に対して前記データ信号に応じて制御可能であることを特徴とする、請求項２３に記載の回路。
【請求項２５】
前記制御手段が、少なくとも２つの調節データワードを送出して、伝導状態に対して前記電流伝達手段に影響するように与えられたデータソースを有し、前記制御手段が、前記データ信号に応じて、前記データソースによって送出可能な前記少なくとも２つの調節データワードの１つを選択するように設計された調節データワード選択手段を有することを特徴とする、請求項２４に記載の回路。
【請求項２６】
前記制御手段が、調節データワードを受信し、前記受信した調節データワードを復号し、前記復号された調節データワードに応じて伝導状態に対して前記電流伝達ステージを制御するように設計された復号ステージを有することを特徴とする、請求項２５に記載の回路。
【請求項２７】
少なくとも１つの調節データワードを格納するようにされた調節データ格納手段が与えられることを特徴とする、請求項２５に記載の回路。
【請求項２８】
前記多数の電流伝達ステージが、異なる伝導特性を有するトランジスタによって形成されることを特徴とする、請求項２４に記載の回路。
【請求項２９】
前記制御手段が、前記キャリヤ信号を前記電流伝達ステージに転送するように設計されたキャリヤ信号転送手段を有し、前記キャリヤ信号転送手段を用いて、前記電流伝達ステージが、伝導状態に対して前記キャリヤ信号に応じて制御可能でもある、請求項２４に記載の回路。
【請求項３０】
前記キャリヤ信号を利用して、前記キャリヤ信号転送手段用の電圧供給を生成するように設計された前記転送手段用の前記電圧供給生成手段が与えられることを特徴とする、請求項２９に記載の回路。
【請求項３１】
前記回路が、集積回路として形成されることを特徴とする、請求項１６に記載の回路。
【発明の詳細な説明】
【技術分野】
【０００１】
本発明は、変調信号を生成する回路を備え、該回路により、データ信号を受信し、該データ信号に応じて変調信号を生成するように設計された変調手段が与えられ、受信したデータ信号に応じて変調信号を生成するために、変調信号の少なくとも２つの特徴信号値のいずれかの選択が可能なデバイスに関する。
【０００２】
また、本発明は、データ信号を受信し、データ信号に応じて変調信号を生成するように設計された変調手段が与えられ、受信したデータ信号に応じて変調信号を生成するために、変調信号の少なくとも２つの特徴信号値のいずれかの選択が可能な、変調信号を生成する回路に関する。
【背景技術】
【０００３】
「ＡＭＴＥＬ  ＷＩＲＥＬＥＳＳ  ＆  μＣ」社のＵＨＦトランスミッタタイプ参照番号Ｕ２７４１Ｂを有する、第２パラグラフに記載した一般的なタイプのこのようなタイプを備えた、第１パラグラフに記載した一般的なタイプのこのようなデバイスは、車両ドアの遠隔制御解除用の遠隔制御デバイスとともに販売されており、したがって、公知である。
【０００４】
公知のデバイスは、変調信号を用いて、制御情報を出すように設計されたものである。このため、変調手段が設けられている。ビットからなる少なくとも１つのデータワードを表す、制御情報を表すデータ信号を上記変調手段に供給することができる。変調信号を生成するために、変調手段は、データ信号に応じて、変調信号の２つの特徴信号値のいずれかを選択することができ、特徴信号値の少なくとも１つは、回路に接続された少なくとも１つの構成部品によって決定される。
【０００５】
公知のデバイスにおいて、回路に接続された少なくとも１つの構成部品によって決定される少なくとも１つの特徴信号値が、この構成部品の固定された所定の構成部品値によって決定され、その結果、比較的低い精度でしか生成することができないという問題が生じる。特徴信号値は、この構成部品の構成部品許容範囲によって、さらに、回路の構成部品許容範囲によっても好ましくない影響を受け、これらは、事前に決定することが難しいものであり、変調信号の特徴信号値を規定するからである。また、変調信号の特徴信号値に対するこのような好ましくない影響は、公知のデバイスの製造後に対処することができないため、変調信号の受信デバイスを使って変調信号を復調するさい、問題が生じることがあるという欠点も存在する。また、変調信号の特徴信号値に及ぼされるこのような好ましくない影響は、少なくとも２つの構成部品の適切な選択によって、さらに、回路の製造における複雑かつ高価な製造ステップによって、デバイスの製造中に限って対処できるであろうが、公知のデバイスのコストが著しく高くなるという問題も存在する。
【発明の開示】
【発明が解決しようとする課題】
【０００６】
本発明の目的は、上述した問題を解消し、改良されたデバイスおよび改良された回路を作製するために、第２パラグラフに記載したタイプの回路を備えた、第１パラグラフに記載したタイプのデバイスを作製することである。
【課題を解決するための手段】
【０００７】
第１パラグラフに記載したタイプのデバイスにおいて上記目的を達成するために、本発明によれば、特徴信号値の少なくとも１つを、プログラム可能に、データ信号に応じて、調節するように設計された調節手段を提供することである。
【０００８】
第２パラグラフに記載したタイプの回路において上記目的を達成するために、本発明によれば、特徴信号値の少なくとも１つを、プログラム可能に、かつ、データ信号に応じて、調節するように設計された調節手段が提供される。
【０００９】
有益なことに、本発明による手段を提供することによって、変調信号の少なくとも１つのパラメータは、構成部品許容範囲による少なくとも１つの信号パラメータの精度への負の影響が実質的にすべて補償できるように調節可能である。その結果、選択され、その結果、高価である構成部品を提供される必要がないという利点がさらに得られる。その結果、回路を製造するさいに、望ましくない高コストも不要であるという利点がさらに達成される。その結果、変調信号の受信デバイスにおいて、この信号を復調するさい、少なくとも１つの特徴信号値を原因とする問題が生じないというさらなる利点が得られる。
【００１０】
変調手段が、変調信号を形成する周波数変調信号を生成するように、周波数変調手段により達成され、回路で、周波数変調手段において少なくとも部分的に含まれ、周波数が可変の周波数変調信号を生成するように設計された発振器ステージを生成し、発振器ステージが、周波数変調信号の少なくとも２つの周波数を確立するように設計されたコンデンサ構成を有し、発振器手段は、少なくとも２つの周波数の１つを選択するために、データ信号に応じて、コンデンサ構成を切り換えるように設計されたスイッチ手段を有する本発明による解決策において、調節手段が、プログラム可能に、データ信号に応じて、周波数変調信号の少なくとも２つの周波数を調節するように設計されることが有益であることがさらに分かっている。これによって、周波数変調信号の少なくとも２つの周波数が、構成部品許容範囲によって生じる周波数の精度への負の影響を実質的に完全に補償できるように調節可能であるという利点が得られる。
【００１１】
本発明による解決策において、コンデンサ構成が、多数のコンデンサを有し、スイッチ手段が、多数のスイッチを有し、少なくとも１つのコンデンサが各スイッチに割り当てられ、多数のコンデンサおよび多数のスイッチが、調節手段の構成部品を形成し、制御手段が与えられ、この制御手段を用いて、周波数変調信号の少なくとも２つの周波数を調節するために、スイッチが、プログラム可能に、そのスイッチ状態に関連してデータ信号に応じて制御可能であると、有益であることがさらに分かっている。これによって、単一のコンデンサ構成を利用して、周波数変調信号の少なくとも２つの周波数が、多数のコンデンサおよび多数のスイッチにより高精度で調節可能であるという利点が得られる。単一のコンデンサ構成に関して、データ信号に応じ、さらにプログラム可能に、制御手段によってスイッチをそれらのスイッチ状態に対して制御することが特に有益であることがさらに分かり、その理由は、これによって、少なくとも２つの周波数の各々が、高い信頼性で、特に、再現可能に調節可能であることが確実になるためである。
【００１２】
本発明による解決策において、制御手段が、少なくとも２つの調節データワードを送出して、スイッチ状態に対してスイッチに影響するように与えられたデータソースを有し、制御手段が、データ信号に応じて、データソースによって送出可能な少なくとも２つの調節データワードの１つを選択するように設計された調節データワード選択手段を有すると、有益であることがさらに分かっている。これによって、そのスイッチ状態に対してスイッチに影響を与えるための正確な調節データワードが、データの信号の内容に対して高い信頼性で利用可能であるという利益が得られる。また、純粋なディジタルベースで調節を実行可能であるという利益も達成される。
【００１３】
本発明による解決策において、少なくとも２つの調節データワードがスイッチに直接供給可能であることが提供される。これは、調節データワードの各ビットが、スイッチに割り当てられれば有益である。しかしながら、制御手段が、調節データワードを受信し、受信した調節ワードを復号し、復号された調節データワードに応じてスイッチ状態に対してスイッチを制御するように設計された復号ステージを有すると、特に有益であることが分かっている。これによって、関連する調節データワードが、スイッチの数より少ない多数ビットを有することができるという利点が得られる。これによって、調節データワードのコーディングと、コンデンサ構成の物理的影響との間の適応が、少なくとも２つの周波数を確立する際に実行可能であるという利点がさらに得られる。
【００１４】
本発明による解決策において、少なくとも１つの調節データワードを格納するようにされた調節データ格納手段が与えられると、有益であることがさらに分かっている。これによって、少なくとも１つの調節データワードは、この調節データワードに割り当てられた少なくとも１つの周波数の精度に関する周波数変調手段のテストの後、そのテスト結果に適応させることができ、したがって、少なくとも１つの周波数の個々の調節が、各デバイスまたは回路に対して可能であるという利点が得られる。
【００１５】
また、本発明による解決策において、多数のコンデンサが、少なくとも２つのコンデンサグループに分割され、コンデンサグループのすべてのコンデンサが、静電容量に関して同一であると、有益であることが分かっている。これによって、スイッチによって作動される多数のコンデンサに応じて、スイッチの状態に関してスイッチを可能な限り簡単に制御できるように、少なくとも２つの周波数に対して、線形調節範囲を与えることができるという利点が得られる。
【００１６】
変調手段が、キャリヤ信号を利用して変調信号を形成する振幅変調信号を生成する振幅変調手段により与えられ、回路で、振幅変調手段に部分的に含まれ、振幅変調信号の少なくとも２つの振幅を規定するように設計された振幅規定手段が与えられ、振幅変調手段が、少なくとも２つの振幅の１つを選択するために、データ信号に応じて、振幅規定手段に影響するように与えられた制御可能な電流伝達手段を有する本発明による解決策において、調節手段が、プログラム可能に、データ信号に応じて、振幅変調信号の少なくとも１つの振幅を調節するように設計されると、有益であることがさらに分かっている。これによって、振幅変調信号の少なくとも１つの振幅が調節可能であるため、少なくとも１つの振幅の精度に関する構成部品許容範囲によって生じる負の影響を、実質的に完全に補償できるという利点が得られる。
【００１７】
本発明による解決策において、振幅規定手段が、制御可能な電流伝達手段を用いて与えられ、制御可能な電流伝達手段が、電流が伝導状態にある各電流伝達ステージに割り当てられる多数の電流伝達ステージを有し、多数の電流伝達ステージが、調節手段の素子を形成し、制御手段が与えられ、この制御手段を用いて、振幅変調信号の少なくとも１つの振幅を調節するために、電流伝達ステージが、プログラム可能に、その伝導状態に対してデータ信号に応じて制御可能であると、有益であることがさらに分かっている。これによって、振幅規定手段を達成するための制御可能な電流伝達手段を利用して、多数の電流伝達ステージにより、振幅変調信号の少なくとも１つの振幅を高精度で調節可能であるという利点が得られる。また、電流伝達ステージに関して、データ信号に応じて、さらに、その伝達状態に関してプログラム可能に、制御手段を用いて電流伝達ステージを制御することは、特に有益であることが分かっており、その理由は、これによって、少なくとも１つの振幅を、高信頼性に、特に、再現可能に調節可能であることが確実になるためである。
【００１８】
本発明による解決策において、制御手段が、少なくとも２つの調節データワードを送出して、その伝導状態に対して電流伝達ステージに影響するように与えられたデータソースを有し、制御手段が、データ信号に応じて、データソースによって送出可能な少なくとも２つの調節データワードの１つを選択するように設計された調節データワード選択手段を有すると、有益であることがさらに分かっている。これによって、その伝達状態に対して電流伝達ステージに影響を与えるための正確な調節データワードを、データ信号の内容に対して信頼性をもって利用可能であるという利点が得られる。これによって、ディジタルベースで純粋に調節を実行可能であるという利点がさらに得られる。
【００１９】
本発明による解決策において、少なくとも２つの調節データワードが、電流伝達ステージに直接供給可能であるということを提供できる。これは、調節データワードの各ビットが、電流伝達ステージに割り当てられれば有益である。しかしながら、制御手段が、調節データワードを受信し、受信した調節データワードを復号し、復号された調節データワードに応じてその伝導状態に対して電流伝達ステージを制御するように設計された復号ステージを有すると、特に有益であることが分かっている。これによって、関連する調節データワードが、電流伝達ステージの数より少ない多数ビットを有することができるという利点が得られる。また、これによって、調節データワードのコーディングと電流伝達ステージの物理的影響との間の適応を、少なくとも２つの振幅を規定する際に実行可能であるという利点が得られる。
【００２０】
さらに、本発明による解決策において、少なくとも１つの調節データワードを格納するように設計された調節データ格納手段が与えられると、有益であることが分かっている。これによって、少なくとも１つの調節データワードは、調節データワードに割り当てられた振幅の少なくとも１つの精度に対する振幅変調手段のテストの後、このテストの結果に適応可能であり、したがって、少なくとも１つの振幅の個々の調節が、各デバイスまたは回路に対して可能であるという利点が得られる。
【００２１】
本発明による解決策において、電流伝達手段が、同一の電気伝導力特性を有するということが提供可能である。しかしながら、多数の電流伝達ステージが、異なる伝導特性を有するトランジスタを用いて形成されると、特に有益であることが分かっている。これによって、少なくとも１つの振幅を、粗度および精密度の両方で調節可能であるという利点が得られる。
【００２２】
本発明による解決策において、キャリヤ信号が、制御手段から独立して、振幅変調手段に送信されるということが提供可能である。しかしながら、制御手段が、キャリヤ信号を電流伝達ステージに転送するようにされたキャリヤ信号転送手段を有し、このキャリヤ信号転送手段を用いて電流伝達ステージも、その伝導状態に対してキャリヤ信号に応じて制御可能であることが特に有益であることが分かっている。これによって、振幅変調信号の少なくとも１つの振幅を調節するために、制御手段を使用して、キャリヤ信号を純粋にディジタル的に利用することができるという利点が得られる。
【００２３】
本発明による解決策において、バッテリー電圧または参照電圧を用いて、キャリヤ信号転送手段用の供給電圧を与えることができることが提供可能である。しかしながら、キャリヤ信号を利用して、キャリヤ信号転送手段用の供給電圧を生成するようにされた転送手段用の電圧供給生成手段が与えられると、特に有益であることが分かっている。これによって、電流伝達ステージは、回路の温度とは無関係に、および回路生産プロセスの許容範囲とは無関係に制御可能であることによって、振幅変調信号の少なくとも１つの振幅の調節を、これらの影響を受けずに実行可能であるという利点が得られる。
【００２４】
さらに、本発明による回路において、回路が集積回路として与えられれば有益であることが分かっている。これによって、調節手段のすべての構成部品を、均一のプロセス技術において生産可能であり、調節手段を与えるために要求され、または利用可能な多数の構成部品が、もはやデバイスの寸法によってではなく、回路生産のプロセス技術に関連した構成部品の集積密度によって決定されることにより、少なくとも１つの特徴信号値を高い精度で調節するための調節手段を与えることができるという利点が得られる。これは、純粋なプログラミングという面で、実際に達成可能な精度が、調節手段の利用可能な構成部品の数によって最終的に決定されるため、プログラム可能な調節に関連して特に重要である。
【００２５】
以下、本発明を制限するものではない、図面に示す実施形態の例を参照しながら、本発明についてさらに記載する。
【発明を実施するための最良の形態】
【００２６】
図１は、周波数変調信号Ｓを用いて制御情報を送出するように設計された遠隔制御デバイスを実現するデバイス１を示し、周波数変調信号Ｓは、第１の周波数Ｆ１と第２の周波数Ｆ２との間の周波数シフトによって規定され、このシフトは、「周波数シフトキーイング（ｆｒｅｑｕｅｎｃｙ  ｓｈｉｆｔ  ｋｅｙｉｎｇ）」、略して、ＦＳＫとして当業者に公知である。
【００２７】
デバイス１は、集積された電気回路２を有する。回路２は、第１の接続３および第２の接続４を有し、これらを用いて、この場合、バッテリーによって与えられ、参照電位ＧＮＤに対して回路２の動作に要求される供給電圧Ｖを与えるようにされた電圧供給手段５に、回路２を接続することができる。しかしながら、電圧供給手段５は、太陽電池の形態にて実施されてもよいことに留意されたい。
【００２８】
また、回路２は、第３の接続６および第４の接続７を有し、これらを用いて、水晶共振子８に回路２を接続することができる。
【００２９】
回路２には、送出される制御情報を表すデータ信号ＤＳを受信し、データ信号ＤＳに応じて周波数変調信号Ｓを生成するように設計された周波数変調手段９が与えられる。
【００３０】
また、回路２には、周波数変調手段９の一構成部品を形成し、周波数に対して可変な周波数変調信号Ｓを生成するように設計された発振器ステージ１０が与えられる。発振器ステージ１０は、第３の接続６および第４の接続７に接続された発振器回路１０Ａを有し、それを用いて、水晶共振子８の発振特性を利用し、水晶共振子８の可変負荷容量を利用して、周波数変調信号Ｓを生成可能である。負荷容量を与えるために、発振器ステージ１０は、周波数変調信号Ｓの第１の周波数Ｆ１および第２の周波数Ｆ２を確立するように設計されたコンデンサ構成１１を有する。また、発振器ステージ１０は、２つの周波数Ｆ１またはＦ２の１つを選択するために、データ信号Ｓに応じて、コンデンサ構成を切り換えるために与えられたスイッチ手段１２を有する。
【００３１】
本発明によれば、デバイス１は、プログラム可能に、データ信号ＤＳに応じて、周波数変調信号Ｓの２つの周波数Ｆ１およびＦ２を調節するように設計された調節手段１３をさらに有する。コンデンサ構成１１およびスイッチ手段１２は、以下でさらに詳細に記載する調節手段１３の構成部品を形成する。
【００３２】
コンデンサ構成１１は、第１のコンデンサグループ１４と、第２のコンデンサグループ１５と、第３のコンデンサグループ１６と、第４のコンデンサグループ１７とを有する。４つのコンデンサグループ１４、１５、１６、および１７の各々に対して、各コンデンサグループ１４、１５、１６、および１７の多数のコンデンサを表す１つのコンデンサ対が示されている。スイッチ手段１２は、第１のスイッチグループ１８と、第２のスイッチグループ１９と、第３のスイッチグループ２０と、第４のスイッチグループ２１と、第５のスイッチグループ２２と、第６のスイッチグループ２３と、第７のスイッチグループ２４と、第８のスイッチグループ２５とを有する。８つのスイッチグループ１８から２５の各々に対して、多数のスイッチを表す１つのスイッチが示されており、コンデンサ構成１１の１つのコンデンサが、各スイッチに割り当てられている。スイッチ手段１２に制御信号Ｃを供給することができ、この信号を用いて、コンデンサグループ１４、１５、１６、および１７に割り当てられたスイッチ手段１２のスイッチは、スイッチ状態に関連して対で制御することができ、これに関しては、以下、図２を参照しながらさらに詳細に記載する。
【００３３】
図２を参照しながら、以下、コンデンサ構成１１およびスイッチ手段１２の構造および機能について説明する。図２は、第１のスイッチグループ１８、第２のスイッチグループ１９、および第１のコンデンサグループ１４と、第１のコンデンサグループ１４に関連した２つのスイッチグループ１８および１９の回路配列を詳細に示す。残りのスイッチグループ２０から２５と、残りのコンデンサグループ１５から１７は、それらの設計および回路配列が、２つのスイッチグループ１８および１９と第１のコンデンサグループ１４のそれぞれの設計および回路配列に類似するように、破線で縁取りしたブロックとして概略的に示している。
【００３４】
第１のコンデンサグループ１４は、８つのコンデンサ２６から３３を有し、それらの各々が、参照電位ＧＮＤに接続され、静電容量に関して同一のものである。この場合、第１のコンデンサグループ１４のコンデンサ２６から３３の各々の静電容量は、０．１６ピコファラド（ｐＦ）である。第２のコンデンサグループ１５のコンデンサの各々の静電容量は、０．２６ｐＦである。第３のコンデンサグループ１６のコンデンサの各々の静電容量は、０．５７ｐＨである。第４のコンデンサグループ１７のコンデンサの各々の静電容量は、１．５４ｐＦである。
【００３５】
第１のスイッチグループ１８は、第１のスイッチ３４と、第２のスイッチ３５と、第３のスイッチ３６と、第４のスイッチ３７とを有し、コンデンサ２６、２８、３０、または３２の１つずつに、各スイッチ３４から３７が接続される。第２のスイッチグループ１９は、第５のスイッチ３８と、第６のスイッチ３９と、第７のスイッチ４０と、第８のスイッチ４１とを有し、コンデンサ２７、２９、３１、または３３の１つずつに、各スイッチ３８から４１が接続される。各スイッチ３４から３７は、接続Ｌ１を介して、回路２の第３の接続６に接続される。スイッチ３８から４１の各々は、第２の接続Ｌ２を介して、回路２の第４の接続７に接続される。スイッチ３４から４１の制御信号Ｃを、第１のスイッチグループ１８および第２のスイッチグループ１９に供給することができ、第１の制御信号Ｃ１が、第１のスイッチ３４と第５のスイッチ３８とを組み合わせて機能的に対にし、第２の制御信号Ｃ２が、第２のスイッチ３５と第６のスイッチ３９とを組み合わせて機能的に対にし、第３の制御信号Ｃ３が、第３のスイッチ３６と第７のスイッチ４０とを組み合わせて機能的に対にし、第４の制御信号Ｃ４が、第４のスイッチ３７と第８のスイッチ４１とを組み合わせて機能的に対にする。結果的に、第１のコンデンサ２６および第２のコンデンサ２７は、第１のスイッチ３４および第５のスイッチ３８を介して第１の制御信号Ｃ１に応じて、水晶共振子８へ、または水晶共振子８から離れるように、対で切り換えることができる。同じことが、第１のコンデンサグループ１４の残りのコンデンサ２８から３３と、コンデンサグループ１５から１７の多数のコンデンサと、スイッチグループ２０から２５の多数のスイッチに当てはまり、これらのスイッチグループ２０から２５の多数のスイッチのさらなる各対に対して、さらなる制御信号が与えられる。実際に水晶共振子８に切り換えられたコンデンサ構成１１の多数のコンデンサの全静電容量は、水晶共振子８の修正可能な負荷容量の関連値を規定することによって、周波数変調信号Ｓの２つの周波数Ｆ１またはＦ２の関連する１つを高精度に規定することができる。コンデンサ構成１１の多数のコンデンサと、スイッチ手段１２の多数のスイッチは、集積回路２の構成部品として生産され、スイッチ手段は、電界効果トランジスタを用いて生産される。例えば、バイポーラトランジスタまたはＭＯＳ電解効果トランジスタを用いた場合のように、回路２の生産プロセスに応じて、異なる方法で生産されるスイッチ手段１２を提供できることに留意されたい。さらに、２つの周波数Ｆ１およびＦ２を確立する制度は、スイッチ数およびコンデンサ数によって影響を受けることに留意されたい。
【００３６】
図３は、第１の図Ｘ１を用いて、発振器ステージ１０を用いて生成可能な信号Ｓの周波数Ｆと、コンデンサ構成１１を用いて与えられた修正可能な負荷容量ＣＰとの間の強い非線形関数の相関関係Ｋ１を示す。第１の図Ｘ１において、縦軸は、制御信号を送出するために与えられた２つの周波数Ｆ１およびＦ２を示す。第１の図Ｘ１は、横軸に、周波数Ｆ１およびＦ２のそれぞれに対応し、デバイス１の構成部品許容範囲に依存した負荷静電容量ＣＰ１およびＣＰ２をさらに示す。第１の図Ｘ１を用いると、第１の負荷静電容量ＣＰ１の周りの負荷静電容量ＣＰの対称的な変化ＤＣＰで、第１の周波数変化ＤＦ１が得られることが明らかである。さらに、第２の負荷静電容量ＣＰ２の周りの変化ＤＣＰ１と同一の変化で、第２の周波数変化ＤＦ２が得られ、その量は、第１の周波数変化ＤＦ１より実質的に小さい。この状況により、それぞれのコンデンサグループ１４から１７の多数のコンデンサが、図２に関連して上述したように、同一のグループ静電容量を与えることが実質的に有益であることが分かっており、その理由は、これによって、図４に示すように、信号Ｓの周波数Ｆと、水晶共振子８に接続されたコンデンサ構成１１のＮ個のコンデンサ対との間に、実質的に線形の相関関係が生じるという利点が得られるためである。
【００３７】
図４は、発振器ステージ１０を用いて生成可能な信号Ｓの周波数Ｆと、水晶共振子８に切り換えられるコンデンサ構成１１のＮ個のコンデンサ対との間のほぼ線形関数の相関関係Ｋ２を示す第２の図Ｘ２を示す。第２の図Ｘ２は、縦軸に、発振器ステージ１０を用いて生成可能な信号Ｓの周波数Ｆを示し、横軸に、水晶共振子８に切り換えられたコンデンサ構成１１のＮ個のコンデンサ対を示す。関数相関関係Ｋ２は、４つの関数セクションＫ２１、Ｋ２２、Ｋ２３、およびＫ２４を有し、その勾配値は、コンデンサの静電容量が異なる４つのコンデンサグループ１４から１７によって規定される。当業者にとって、この文脈において、図４に示す相関関係Ｋ３は、制限値に向けて収束するコンデンサ構成１１の多数のコンデンサに対してのみ有効であることは明らかである。
【００３８】
関数関係Ｋ１を可能な限り線形化するために、関数セクションＫ２１において、利用可能な最小の静電容量を有するコンデンサ、すなわち、第１のコンデンサグループ１４のコンデンサが、水晶共振子８へまたはそこから切り換え可能であることが必須である。また、これに関して、セクションＫ２４において、利用可能な最大の静電容量を有するコンデンサ、すなわち、第４のコンデンサグループ１７のコンデンサが、水晶共振子８へまたはそこから切り換え可能であることが必須であることが分かっている。また、同じことが、セクションＫ２２およびＫ２３にも当てはまるため、第２のコンデンサグループ１５は、セクションＫ２２に割り当てられ、第３のコンデンサグループ１６は、セクションＫ２３に割り当てられる。個々のコンデンサグループ１４、１５、１６、および１７の割り当ては、制御信号Ｃを用いて達成される。この割り当てにより、強い非線形性を示す相関関係Ｋ１の線形化が著しく考慮される。しかしながら、コンデンサ構成１１のすべてのコンデンサが同一の静電容量をもつようにすることもできる。これにより、確実に、回路の実質的に余分な複雑性に関連するが、図４の破線Ｋ３に示すように、４つの関数セクションＫ２１、Ｋ２２、Ｋ２３、およびＫ２４内の均一な勾配値に対して、相関関係Ｋ２を最適化することができるという利点が得られる。
【００３９】
第１の図Ｘ１において、参照符号ＤＣは引き込み範囲として当業者に公知である、コンデンサ構成１１を用いて達成可能な負荷静電容量ＣＰの最大変動範囲が示されている。また、第１の図Ｘ１および第２の図Ｘ２において、参照符号ＤＦは、周波数シフトの周波数スイング、いわゆる、ＦＳＫスイングとして当業者に公知である、第１の周波数Ｆ１と第２の周波数Ｆ２との周波数の差を示す。
【００４０】
図１に示す調節手段１３は、調節データワードＤＷ１またはＤＷ２を受信し、受信した調節データワードを復号し、第１のスイッチグループ１８および第２のスイッチグループ１９のスイッチ３４から４１を制御し、復号された調節データワードＤＷ１またはＤＷ２に応じて、切り換え状態に対して残りのスイッチグループ２０から２５のスイッチを制御するように設計された復号ステージ４２を有する。復号ステージ４２は、関連する調節データワードＤＷ１またはＤＷ２が、水晶共振子８に切り換えられたコンデンサ構成１１のコンデンサ対の数ｍから始まる値ｍを表すとき、調節データワードＤＷ１またはＤＷ２によって表される値ｍが値ｎへ増大すると、コンデンサ構成１１の（ｎ−ｍ）個のコンデンサ対を、水晶共振子８へ切り換えることができ、関連するデータワードＤＷ１またはＤＷ２によって表される値ｍが値ｎへ減少すると、コンデンサ構成１１の（ｍ−ｎ）個のコンデンサ対を、水晶共振子８から離れるように切り換えることができ、このとき、コンデンサグループ１４、１５、１６、および１７を、図４に示す関数セクションＫ２１、Ｋ２２、Ｋ２３、およびＫ２４に割り当てることが考慮されるようになっている。復号ステージ４２は、ハードワイヤード論理回路によって与えられたデコーダを用いて形成される。
【００４１】
２つの周波数Ｆ１およびＦ２を調節するために、調節手段１３は、データ信号ＤＳに応じて、２つの調節データワードＤＷ１またはＤＷ２の１つを選択するように設計された調節データワード選択手段４３をさらに有する。調節データワード選択手段４３は、この目的のため、２つの調節データワードＤＷ１およびＤＷ２を受信するように設計される。さらに、調節データワード選択手段４３は、データ信号ＤＳのシリアルバイナリ表現を受信するように設計され、データ信号ＤＳのシリアルバイナリ表現を形成するバイナリ状態１または０に応じて、第１の調節データワードＤＷまたは第２の調節データワードＤＷは、２つの調節データワードＤＷ１およびＤＷ２の間で切り換えることによって選択することができる。切り換え手段４３は、ハードワイヤード論理回路によって与えられるマルチプレクサを用いて形成される。
【００４２】
また、調節データ手段１３は、２つの周波数Ｆ１およびＦ２を調節するために、第１のレジスタ４５および第２のレジスタ４６を用いて与えられるデータソース４４を有する。第１のレジスタ４５は、回路２が活性動作モードにある動作期間、第１の調節データワードＤＷ１を一時的に格納するためのものであり、この動作期間中、第１の調節データワードＤＷ１を調節データワード選択手段４３に送出するように設計される。また、第２のレジスタ４６は、第２の調節データワードＤＷ２を一時的に格納するように設計され、動作期間中、第２の調節データワードＤＷ２を調節データワード選択手段４３に送出するように設計される。その結果、スイッチ手段１２の多数のスイッチに影響を与えるように、２つの調節データワードＤＷ１およびＤＷ２を一時的に格納し送出するためのデータソース４４が与えられる。
【００４３】
また、調節手段１３は、動作期間とは関係なく、２つの調節データワードＤＷ１およびＤＷ２を格納するように設計された調節データ格納手段４７を有する。
【００４４】
また、調節手段１３は、動作期間の開始時に、データソースにおいて２つの調節データワードＤＷ１およびＤＷ２を準備するように設計された調節データ準備ステージ４８を有する。このため、調節データ準備ステージ４８は、調節データ格納手段４７にアクセスするように設計され、調節データ格納手段４７へのこのアクセスにおいて、調節データ格納手段４７から２つの調節データワードＤＷ１およびＤＷ２を読み取るように設計される。また、調節データ準備ステージ４８は、読み取られた第１の調節データワードＤＷ１を第１のレジスタ４５に送出し、読み取られた第２の調節データワードＤＷ２を第２のレジスタ４６に送出するように設計される。
【００４５】
また、調節手段１３は、復号ステージ４２、調節データワード選択手段４３、データソース４４、調節データ準備ステージ４８、および調節データ格納手段４７から形成された制御手段４９をさらに有し、これを用いて、周波数変調信号Ｓの２つの周波数Ｆ１およびＦ２を調節するために、スイッチ手段１２のスイッチを、プログラム可能に、すなわち、第１の調節データワードＤＷ１および第２の調節データワードＤＷ２を用いて、それらのスイッチ状態に対するデータ信号ＤＳに応じて、制御することができる。これによって、スイッチ手段１２および単一のコンデンサ構成１１を利用して、データ信号ＤＳに応じて復号ステージ４２に供給された調節データワードＤＷ１およびＤＷ２を用いて、周波数変調信号Ｓの第１の周波数Ｆ１および第２の周波数Ｆ２の両方を調節できるという利点が得られる。
【００４６】
また、回路２は、制御情報を表すデータ信号ＤＳを格納しかつ送出するためのデータ信号格納手段５０を有する。また、回路２は、データ信号格納手段１１にアクセスし、データ信号格納手段５０からデータ信号ＤＳを読み取るように設計されたパラレル／シリアル変換ステージ５１を有する。また、パラレル／シリアル変換ステージ５１は、変換サイクル信号ＣＬＫを受信し、この変換サイクル信号ＣＬＫに同期して、パラレル形式で存在し、データ信号格納手段５０から読み取られたデータ信号ＤＳをデータ信号ＤＳのシリアルバイナリ表現に変換し、サイクルと同期して、データ信号ＤＳのこのシリアルバイナリ表現を調節データワード選択手段４３に送出するように形成される。また、回路２は、変換サイクル信号ＣＬＫをパラレル／シリアル変換ステージ５１に生成しかつ送出するように設計されたサイクル信号生成手段５２を有する。
【００４７】
デバイス１は、開始信号Ｇを回路２へ生成しかつ送出するように設計された開始手段５３を有し、回路２の信号Ｇで、最初に、調節データ準備ステージ４８を利用して、第１のレジスタ４５における第１の調節データワードＤＷ１と第２のレジスタ４６における第２の調節データワードＤＷ２の準備を開始することができる。さらに、回路２の開始信号Ｇで、変換信号ＣＬＫの生成を開始することができるため、データ信号ＤＳは、データ信号格納手段５０から読み取られ、データ信号ＤＳは、パラレル形式からデータ信号ＤＳのシリアルバイナリ表現へ変換され、データ信号ＤＳのこの表現が、周波数変調手段９に送出され、その結果として、周波数変調信号Ｓが、周波数変調手段９を用いて生成される。
【００４８】
また、回路２は、発振器ステージ１０からの周波数変調信号Ｓを受信し、この周波数変調信号Ｓの２つの周波数Ｆ１およびＦ２を増倍率で逓倍して、周波数変調信号Ｓの関連する周波数Ｆ１またはＦ２を、信号Ｓを送信するために与えられた周波数帯域に転送するように設計された周波数逓倍ステージ５４を有する。周波数逓倍ステージ５４は、位相ロックループ回路（ＰＬＬ）２を用いて形成される。また、回路２は、信号Ｓを受信し、信号Ｓを増幅し、増幅された信号Ｓをデバイス１の送信手段５６に送出するように設計された増幅手段５５を有し、送信手段５６によって、周波数変調信号Ｓを電磁波として放射することができる。送信手段５６は、アンテナ構成を用いて与えられる。
【００４９】
データ信号格納手段５０、パラレル／シリアル変換ステージ５１、サイクル生成手段５２、調節データワード選択手段４３、データソース４４、調節データ準備ステージ４８、および調節データ格納手段４７は、データ処理手段５７を介して与えられ、この場合、データ処理手段５７は、マイクロコンピュータによって形成される。２つのレジスタ４５および４６は、マイクロコンピュータの出力レジスタによって与えられる。また、データ処理手段５７は、ハードワイヤード論理回路によって形成できると述べることができる。
【００５０】
調節データ準備ステージ４８およびパラレル／シリアル変換ステージ５１は、マイクロコンピュータを介して処理可能なソフトウェアを用いて与えられる。サイクル生成手段５２は、マイクロコンピュータのタイマを用いて与えられる。データ信号格納手段５０は、マイクロコンピュータのＲＯＭを用いて与えられる。
【００５１】
この場合、調節データワードＤＷ１およびＤＷ２は、２つの周波数Ｆ１およびＦ２のテスト測定の結果として、デバイスの生産プロセスのプロセスステップにおいて決定され、デバイス１の生産前に調節データ格納手段４７に格納される。この場合、調節データ格納手段４７は、生産プロセス中にプログラム可能なＰＲＯＭを用いて与えられる。しかしながら、調節データ格納手段４７は、ＥＥＰＲＯＭを用いて与えられることもできることに留意されたい。これは、調節データワードＤＷ１およびＤＷ２が、デバイス１の動作中に修正可能であれば有益であり、これは、例えば、２つの周波数Ｆ１およびＦ２に影響を与える回路２の温度挙動の補償が要求される場合に重要である。
【００５２】
また、コンデンサ構成１１が、追加のコンデンサ対を有することができ、この対の第１のコンデンサが、第３の接続６と参照電位ＧＮＤとの間でハードワイヤードされ、この対の第２のコンデンサが、第４の接続７と参照電位ＧＮＤとの間でハードワイヤードされることによって、コンデンサのこの追加の対を用いて、コンデンサ構成１１のベース容量を達成することができることにも留意されたい。
【００５３】
また、水晶共振子８の一方向動作の場合、回路２の第３の接続６のみが与えられるモードにおいて、この場合、水晶共振子８が、第１に、第３の接続６に接続され、第２に、参照電位ＧＮＤに接続されるため、水晶共振子８の負荷容量を形成するために、コンデンサ対ではなく、コンデンサ構成１１の個々のコンデンサが与えられることにも留意されたい。
【００５４】
また、調節データワード選択手段４３、データソース４４、調節データ準備ステージ４８、および調節データ格納手段４７が、２つのデータ調節データワードＤＷ１およびＤＷ２を格納するための単一の格納手段として、ハードウェアにおいて組み合わせることも可能であり、２つの調節データワードＤＷ１またはＤＷ２の１つをアドレス指定するための有効なアドレスの存在中、アドレス指定された調節データワードＤＷ２またはＤＷ１は、格納手段によって永久的に送出することができることにも留意されたい。また、この文脈において、これらの格納手段が、関連する調節データワードＤＷ１またはＤＷ２をアドレス指定するために、データ信号ＤＳのシリアルバイナリ表現を用いて設計可能なアドレスデコーダを有することができることにも留意されたい。
【００５５】
また、スイッチ手段１２が、送信ゲートを用いて与えられることもでき、このような送信ゲートは、本質的に、トランジスタ構成からなることにも留意されたい。
【００５６】
図１によるデバイス１の応用例を参照しながら、以下に、デバイス１の機能的方法について説明する。この応用の例によれば、デバイス１の生産プロセスが完了する前に、周波数変調手段９を用いて生成可能な周波数変調信号Ｓの２つの周波数Ｆ１'およびＦ２'を測定するために、テスト測定を実行することが想定される。このテスト測定において、制御信号Ｃを形成するテスト制御信号が、スイッチ手段１２に送信され、発振器回路１０Ａによって生成された信号Ｓの周波数Ｆ１'およびＦ２'が測定された。制御情報の送出に特有の２つの周波数Ｆ１およびＦ２から生成された周波数Ｆ１'およびＦ２'の偏差に対して、この測定を分析した結果、これらの調節データワードＤＷ１およびＤＷ２が生成され、調節データ手段４７に格納され、これらを用いて、水晶共振子８または回路２の構成部品許容範囲が補償されて、２つの与えられた周波数Ｆ１およびＦ２を最大の精度で生成することができる。
【００５７】
この応用例によれば、デバイス１が移動遠隔制御デバイスを形成し、これを用いて、このデバイス１のユーザが、車両のドアを遠隔操作でロック解除可能であることがさらに想定される。結果的に、データ信号格納手段５０は、車両ドアのロックを解除するための制御情報を表すデータ信号ＤＳを含み、その制御情報は、動作期間中、送信手段５６によって、電磁波として車両の受信器デバイスに送出することができる。受信可能な周波数変調信号ＳのＦＳＫスイングに関する受信器デバイスは、干渉信号に対する耐性が高く、周波数変調信号Ｓの受信可能性に関する感度が高いとすれば、狭帯域の受信手段を有する。
【００５８】
デバイス１において、最初に、回路２は、最長の耐用年数を得るために、回路２のエネルギー消費量が最小値を有するスリープモードにある。ユーザが、車両ドアのロックを解除するために、開始手段５３を作動する。開始手段５３を作動させる際、この作動は回路２に、特に、開始信号Ｇを介してデータ処理手段５７に報告され、回路２は、動作期間の開始時に、作動動作モードに設定される。
【００５９】
作動動作モードにおいて、最初、調節データ準備ステージ４８は、調節データ格納手段４７からの第１の周波数Ｆ１を調節するために、第１の調節データワードＤＷ１を読み取り、これを第１のレジスタ４５に与える。その後、調節データ準備ステージ４８は、調節データ格納手段４７から第２の調節データワードＤＷ２を読み取り、これを第２のレジスタ４６に与える。
【００６０】
その後、サイクル信号生成手段５２において、変換サイクル信号ＣＬＫの生成が作動される。パラレル／シリアル変換ステージ５１において、データ信号ＤＳの読み取りは、データ信号格納手段５０から始まり、このように読み取られたデータ信号ＤＳは、データ信号ＤＳのシリアル表現に変換され、これは、変換サイクル信号ＣＬＫとサイクル同期させて、論理値１および０のビットシーケンスとして、調節データワード選択手段４３に送出される。この場合、データ信号ＤＳは、各々が８ビットの１６バイトからなる。
【００６１】
論理値１または０に応じる調節データ手段選択手段４３において、レジスタ４５に格納された第１の調節データワードＤＷ１と、第２のレジスタ４６に格納された第２の調節データワードＤＷ２との間で選択がなされる。選択された調節データワードＤＷ１またはＤＷ２は、復号ステージ４２に出力される。復号ステージ４２において、受信した調節データワードＤＷ１またはＤＷ２は復号され、この復号に応じて、スイッチ手段１２の多数のスイッチを制御するための制御信号Ｃは、スイッチ手段１２に出力される。スイッチ手段１２およびコンデンサ構成１１を用いて、制御信号Ｃに応じて、第１の調節データワードＤＷ１が存在する場合、水晶共振子８に対する負荷容量の第１の負荷静電容量ＣＰ１が与えられることによって、発振器回路１０Ａを用いて、第１の調節された周波数Ｆ１を有する信号Ｓが生成される。スイッチ手段１２およびコンデンサ構成１１を用いて、制御信号Ｃに応じて、第２の調節データワードＤＷ２が存在する場合、水晶共振子８に対する負荷容量の第２の負荷静電容量ＣＰ２が与えられることによって、発振器回路１０Ａを用いて、第２の調節された周波数Ｆ２を有する信号Ｓが生成される。データ信号ＤＳの１６バイトが完全に放出された後、回路２は、スリープモードに戻される。
【００６２】
デバイス１に本発明による調節手段を与えることによって、周波数変調信号Ｓが、ＦＳＫスイングに対して狭帯域の大きさである、車両の受信デバイスの受信手段によって容易に受信可能な２つの正確に調節された周波数Ｆ１およびＦ２を有するという利点が得られる。これによって、デバイス１から受信機デバイスへ制御情報を送信し、受信機デバイスで制御情報を受信するさいに、干渉に対する高い耐性を保証するさらなる利点が得られる。また、調節されていない周波数で周波数変調された信号Ｓとは対照的に、実質的に、関連する周波数Ｆ１またはＦ２の周波数許容偏差帯域を考慮する必要がないため、ＦＳＫスイングは、比較的低い値を得ることができるという利点がある。
【００６３】
図５に示すデバイス１において、発振器ステージ１０および復号ステージ４２に加えて、周波数変調手段９は、データソース４４および調節データ準備ステージ４８をさらに含む。データソース４４は、単一のレジスタ、すなわち、データ処理手段５７を形成するマイクロコンピュータの出力レジスタを用いて与えられる第１のレジスタ４５を有する。第１のレジスタ４５は、動作期間中、第１の調節データワードＤＷ１を受信した結果、この第１の調節データワードＤＷ１を一時的に格納し、復号ステージ４２に出力するためのものである。また、第１のレジスタ４５は、動作期間中、第２の調節データワードＤＷ２を受信し、第２の調節データワードＤＷ２を受信すると、この第２の調節データワードＤＷ２を一時的に格納し、復号ステージ４２に出力するように設計される。
【００６４】
この場合、調節データ準備ステージ４８は、２つの調節データワードＤＷ１およびＤＷ２を動的に準備するように設計される。このため、調節データ準備ステージ４８は、データ信号ＤＳのシリアル表現を受信するように設計される。また、調節データ準備ステージ４８は、データ信号ＤＳのシリアル表現のバイナリ値に応じて、調節データ格納手段４７にアクセスするように設計され、データ信号ＤＳのシリアル表現のバイナリ値に応じて、第１の調節データワードＤＷ１と第２の調節データワードＤＷ２との間で選択がなされる。調節データ準備ステージ４８を用いたこの選択において、関連する調節データワードＤＷ１またはＤＷ２は、データ信号ＤＳのシリアル表現のバイナリ値に対応するＰＲＯＭのメモリアドレスから読み取られる。データ信号ＤＳのシリアル表現のバイナリ値が、値０を有する場合、調節データ準備ステージ４８は、第１の調節データワードＤＷ１を読み取り、第１の調節データワードＤＷ１を単一のレジスタ４５に出力するように設計される。データ信号ＤＳのシリアル表現のバイナリ値が、値１を有する場合、調節データ準備ステージ４８は、第２の調節データワードＤＷ２を読み取り、第２の調節データワードＤＷ２を単一のレジスタ４５に出力するように設計される。その結果、この場合、調節データ準備ステージ４８は、調節データ選択手段４３を形成する。この場合、制御手段４９は、復号ステージ４２、データソース４４、調節データワード選択手段４３、および調節データ格納手段４７によって形成される。
【００６５】
この文脈において、特に、図５によるデバイス１の設計では、例えば、直交ＦＳＫ（ＱＦＳＫ）の場合に有益であるように、３つ以上の周波数の調節が好ましいことが強調されてよい。この文脈において、パラレル／シリアル変換ステージ５１が、コート変換ステージとして形成することもできるため、データ信号格納手段５０から読み取られたデータ信号ＤＳは、コード変換を受け、データ信号ＤＳのコード変換された表現が、コード変換状態から調節データ準備ステージ４８へ出力することができることにさらに留意されたい。したがって、調節データワード選択手段４３は、特に、値２を超える多数の調節データワードから１つの調節データワードを選択するように設計可能である。
【００６６】
図６は、振幅変調信号Ｓを用いて制御情報を送出するように設計された遠隔制御デバイスを与えるデバイス１を示し、振幅変調信号Ｓは、４つの振幅Ａ１からＡ４の間の振幅シフトによって規定され、このシフトは、「直交振幅シフトキーイング（ｑｕａｄｒａｔｕｒｅ  ａｍｐｌｉｔｕｄｅ  ｓｈｉｆｔ  ｋｅｙｉｎｇ）」、略して、ＱＡＳＫという名称で当業者に公知である。
【００６７】
デバイス１は、キャリヤ信号ＣＳを生成するように設計されたキャリヤ信号生成手段５８を有する。このため、キャリヤ信号生成手段５８は、水晶共振子８および発振器回路１０Ａを含み、その回路から、キャリヤ信号ＣＳが、１３．５６ＭＨｚの周波数で出力される。また、キャリヤ信号生成手段５８は、周波数逓倍ステージ５４を有し、それを用いて、キャリヤ信号ＣＳの周波数が、８６８ＭＨｚの値まで逓倍することができる。
【００６８】
回路２は、データ信号ＤＳを受信し、データ信号ＤＳに応じて、キャリヤ信号ＣＳを利用して、振幅変調信号Ｓを生成するように設計された振幅変調手段５９を与え、受信したデータ信号ＤＳに応じて振幅変調信号Ｓを生成するために、４つの振幅Ａ１からＡ４の間で選択することができる。このため、回路２は、振幅変調手段５９の構成部品を形成する振幅規定手段６０を構成し、この振幅規定手段６０は、制御信号Ｃを利用して、振幅変調信号Ｓの４つの振幅Ａ１からＡ４を確立するように設計される。
【００６９】
振幅規定手段６０は、制御可能な電流伝達手段６１を有する。制御可能な電流伝達手段６１は、送信手段５６を通る電流Ｉを生成するように設計され、電流Ｉが、制御信号Ｃを利用して、データ信号ＤＳに応じてプログラム可能に修正可能である。多数の電流伝達ステージ６３から６６は、異なる電気伝導力特性を有するトランジスタによって形成される。第１の電流伝達ステージ６３は、伝達状態でそれに割り当てられた第１の電流Ｉ１を有する。伝達状態において第２の電流伝達ステージ６４に、第２の電流Ｉ２が割り当てられる。伝達状態において第３の電流伝達ステージ６５に、第３の電流Ｉ３が割り当てられる。伝達状態において第４の電流伝達ステージ６６に、第４の電流Ｉ４が割り当てられる。４つの電流Ｉ１からＩ４は、互いにバイナリ加重され、４つの電流Ｉ１からＩ４の合計は、電流１を規定する。この場合、トランジスタは、チャネル構造に対して互いに異なる電界効果トランジスタを用いて与えられるため、これらによって、バイナリ加重された電流Ｉ１からＩ４を生成することができる。また、電流伝達ステージ６３から６６は、他の電気構成部品によって与えられることもできることに留意されたい。
【００７０】
振幅規定手段６０は、キャリヤ信号ＣＳを受信し、キャリヤ信号ＣＳを電流伝達ステージ６３から６６の各々に供給するように設計されたキャリヤ信号転送手段６７をさらに有する。このため、キャリヤ信号転送手段６７は、第１のキャリヤ信号供給ステージ６８と、第２のキャリヤ信号供給ステージ６９と、第３のキャリヤ信号供給ステージ７０と、第４のキャリヤ信号供給ステージ７１とを有する。４つのキャリヤ信号供給ステージ６８から７１の各々は、２つの入力を有する論理ＡＮＤゲートとして形成され、正確には、電流伝達ステージ６３から６６の１つが、各ＡＮＤゲートに割り当てられる。キャリヤ信号ＣＳは、キャリヤ信号供給ステージ６８から７１の各第１の入力に供給可能である。第１の制御信号Ｃ１は、第１のキャリヤ信号供給ステージ６６の第２の入力に供給可能である。第２の制御信号Ｃ２は、第２のキャリヤ信号供給ステージ６９の第２の入力に供給可能である。第３の制御信号Ｃ３は、第３のキャリヤ信号供給ステージ７０の第２の入力に供給可能である。第４の制御信号Ｃ４は、第４のキャリヤ信号供給ステージ７１の第２の入力に供給可能である。その論理ＡＮＤ関数によれば、第１のキャリヤ信号供給ステージ６８は、キャリヤ信号ＣＳの周波数に応じて、第１の制御信号Ｃ１の論理信号値を修正し、修正された第１の制御信号Ｃ１'を第１の電流伝達ステージ６３に出力するように設計される。論理ＡＮＤ関数による第２のキャリヤ信号供給ステージ６９は、キャリヤ信号ＣＳの周波数に応じて、第２の制御信号Ｃ２の論理信号値を修正し、修正された第２の制御信号Ｃ２'を第２の電流伝達ステージ６３に出力するように設計される。論理ＡＮＤ関数による第３のキャリヤ信号供給ステージ７０は、キャリヤ信号ＣＳの周波数に応じて、第３の制御信号Ｃ３の論理信号値を修正し、修正された第３の制御信号Ｃ３'を第３の電流伝達ステージ６３に出力するように設計される。論理ＡＮＤ関数による第４のキャリヤ信号供給ステージ７１は、キャリヤ信号ＣＳの周波数に応じて、第４の制御信号Ｃ４の論理信号値を修正し、修正された第４の制御信号Ｃ４'を第４の電流伝達ステージ６６に出力するように設計される。修正された制御信号Ｃ１'からＣ４'は、それぞれの制御信号Ｃ１からＣ４の信号値が論理値１を有するとき、キャリヤ信号ＣＳの信号値に対応する論理値１または０を常に有する。４つの修正された制御信号Ｃ１'からＣ４'の各々は、この場合、電流伝達ステージ６３から６６を与える電界効果トランジスタのゲート接続に供給され、論理値０を表せば、関連するトランジスタを非伝導状態に制御可能にし、論理値１を表せば、関連するトランジスタを伝導状態に制御可能にする。その結果、キャリヤ信号転送手段６７を用いて、４つの電流伝達ステージ６３から６６は、データ信号ＣＳに応じて、さらに、それらの伝導状態に対応して、キャリヤ信号ＣＳに応じて、プログラム可能に制御可能である。制御可能な電流伝達手段６１は、デバイス１の増幅手段５５を構成し、この場合、それに、キャリヤ信号転送手段６７を用いて、変調されていないキャリヤ信号ＣＳを供給することができる。また、他の論理関数を用いて、４つのキャリヤ信号供給ステージ６７が実現され、関���する実現に応じて、否定ＡＮＤゲート、ＯＲゲート、またはそれら両方の組み合わせを使用することができることに留意されたい。
【００７１】
本発明によれば、デバイス１は、この場合、第１の調節データワードＤＷ１および第２の調節データワードＤＷ２および第３の調節データワードＤＷ３および第４の調節データワードＤＷ４を用いて、データ信号ＤＳに応じて、振幅変調信号Ｓの４つの振幅Ａ１からＡ４をプログラム可能に調節するように設計された調節手段１３をさらに有し、多数の電流伝達ステージ６３から６６は、調節手段１３の構成部品を形成する。
【００７２】
４つの振幅Ａ１からＡ４を調節するために、調節手段１３は、この場合、データ信号ＤＳに応じて、４つの調節データワードＤＷ１からＤＷ４の１つを選択するように設計された調節データワード選択手段４３をさらに有する。４つの調節データワードＤＷ１、ＤＷ２、ＤＷ３、およびＤＷ４の各々は、４ビットを有する。第１のビットは、第１の制御信号Ｃ１を表し、第２のビットは、第２の制御信号Ｃ２を表し、第３のビットは、第３の制御信号Ｃ３を表し、第４のビットは、第４の制御信号Ｃ４を表す。調節データワード選択手段４３は、ビットペアによって表されるデータ信号ＤＳを受信し、これらのビットペアのバイナリ値に応じて、４つの調節データワードＤＷ１からＤＷ４の１つを選択するように設計される。また、調節データワード選択手段４３は、それぞれの制御信号Ｃとして選択された調節データワードＤＷ１、ＤＷ２、ＤＷ３、またはＤＷ４を送出するように設計される。
【００７３】
この場合、パラレル／シリアル変換器ステージ５１は、データ信号格納手段５０からデータ信号ＤＳのパラレル表現を受信し、信号ＤＳのこのパラレル表現をビットペアからなるデータ信号ＤＳのシリアル表現にパラレル／シリアル変換するために、シリアルビットペアと変換サイクル信号ＣＬＫに対してサイクル同期させて、これらのビットペアを調節データワード選択手段４３に出力するように設計される。
【００７４】
また、デバイス１は、この場合、４つの調節データワードＤＷ１からＤＷ４を格納するために与えられた調節データ格納手段４７を有する。
【００７５】
この場合、調節データ準備ステージ４８は、ステージ信号Ｇが存在すると、調節データ格納手段４７にアクセスし、調節データ格納手段４７から４つの調節データワードＤＷ１からＤＷ４を読み取り、４つの調節データワードＤＷ１からＤＷ４をデータソース４４に準備するように設計される。
【００７６】
この場合、４つの調節データワードＤＷ１からＤＷ４を出力するためにデータソース４４が与えられて、伝導状態に対して電流伝達ステージ６３から６６に影響を与え、このため、４つのレジスタ４５、４６、７２、および７３を有する。
【００７７】
制御手段４９は、これを用いて、この場合、振幅変調信号Ｓの４つの振幅Ａ１からＡ４を調節するために、電流伝達ステージ６３から６６が、伝導状態に対してデータ信号ＤＳに応じてプログラム可能に制御可能であり、振幅規定手段６０と、調節データワード選択手段４３と、データソース４４と、調節データ準備ステージ４８とを含む。
【００７８】
完全性のために、送信手段５６が、振幅規定手段６０と接続３との間で切り換えられた図６に図示していないインダクタンスを有することに留意されたい。また、図６に図示していないアダプタステージが、アンテナインピーダンスを送信手段５６に適したインピーダンスに適応するように与えられ、送信手段５６が、アダプタステージに接続されたアンテナ構成を有し、この構成がアンテナインピーダンスを有することに留意されたい。
【００７９】
図６によるデバイス１の応用例を参照しながら、以下、デバイス１の作動方法について説明する。応用例によれば、デバイス１の生産プロセスが完了する前に、振幅変調手段５９で生成可能な振幅変調信号Ｓのテスト測定が実行され、４つの振幅Ａ１からＡ４を調節するための適切な４つのデータワードＤＷ１からＤＷ４が決定され、調節データ格納手段４７に格納されたものとする。以下、図１０を参照しながら、この状況について説明する。
【００８０】
図１０は、第１列ＴＣ１と、第２列ＴＣ２と、第３列ＴＣ３と、第４列ＴＣ４とを有する表を示す。第１列ＴＣ１は、ビットペアでのデータ信号ＤＳの表現を示す。第２列ＴＣ２は、バイナリ形式で、１６個の利用可能なデータワードＤＷを列挙している。第３列ＴＣ３は、利用可能なデータワードＤＷに対応する電流Ｉの振幅Ａを無次元に列挙している。第４列ＴＣ４は、１ミリワットに対してデシベル単位（ｄＢｍ）で送信手段によって送出可能な振幅変調信号Ｓの電力Ｐを列挙している。また、図１０は、テスト測定の結果獲得され、４つの調節データワードＤＷ１、ＤＷ２、ＤＷ３、およびＤＷ４としてマーク付けされたデータワードＤＷをさらに示し、これを用いて、選択手段４３によって関連する調節データワードＤＷ１からＤＷ４を選択すると、電流Ｉの４つの振幅Ａ１からＡ４の１つを生成することができることによって、デバイスのユーザが開始手段Ｇを作動させると、振幅変調信号Ｓを、送信手段５６によって送出可能である。
【００８１】
本発明によるデバイス１の開始手段５３は、第１の開始信号Ｇ１および第２の開始信号Ｇ２を送出するように設計可能であることが観察される。また、調節データ格納手段４７が、２つのセットの調節データワードＤＷ１からＤＷ４およびＤＷ１'からＤＷ４'を格納でき、調節データ準備ステージ４８が、第１の開始信号Ｇ１が発生すると、第１のセットの調節データワードＤＷ１およびＤＷ４を準備し、第２の開始信号Ｇ２が発生すると、第２のセットの調節データワードＤＷ１'からＤＷ４'を準備するように設計される。以下、図１１を参照しながら、この状況について説明する。
【００８２】
図１１は、４列からなる表形式で、開始信号Ｇ１およびＧ２の両方に対して与えられる調節データワードＤＷ１からＤＷ４と、調節データワードＤＷ１'からＤＷ４'のグループ化を示す。このようにグループ化することによって、振幅変調信号Ｓは、電力Ｐに対して、低電力範囲ＰＬまたは高電力範囲ＰＨに割り当てられる。これにより、小さな広がりおよび大きな広がりの両方に対して、または異なる応用に対して、振幅変調信号Ｓを使用することができ、これにかかわらず、調節データワードＤＷ１からＤＷ４またはＤＷ１'からＤＷ４'の２つのグループを用いて、振幅変調信号Ｓの４つの振幅Ａ１からＡ４の調節を実行することができるという利点が得られる。これに対する適切な応用は、同一のデバイス１を用いて、車両の車両ドアのロックが解除され、この車両のパークヒータが作動されるとき与えられる。車両ドアのロックを解除するために、一般に、低電力範囲ＰＬの振幅変調信号Ｓが使用されるが、これは、車両のユーザが車両のすぐ近くにいるときに、通常、このロック解除が実行されるためである。車両のパークヒータを作動させるために、一般に、高電力範囲ＰＨからの振幅変調信号Ｓが使用されるが、これは、ユーザが、車両からより離れた距離、例えば、自宅にいて、そこからパークヒータを作動させるとき、ユーザによって、通常、パークヒータが作動されるためである。この状況は、特に、調整することによって高電力範囲ＰＨにあるデバイス１の短期使用が可能であるときに重要である。この文脈において、３つ以上のグループの調節データワードを、調節データワードの数またはグループ化方法によってこれが可能であれば与えることもできることに留意されたい。
【００８３】
図７に示すデバイスは、キャリヤ信号転送手段６７に対して電圧供給ＶＣを生成するために、キャリヤ信号ＣＳを利用して形成される電圧供給手段７４を有する。以下、図８を参照しながら、転送手段の電圧供給手段７４について説明する。
【００８４】
図８に詳細に示す転送手段の電圧供給生成手段７４は、位相／周波数検出器ステージ７５と、ループフィルタステージ７６と、電圧／電流変換ステージ７７と、電流制御リング発振器ステージ７８と、周波数分割器ステージ７９と、インピーダンス変換ステージ８０とを有する。
【００８５】
位相／周波数検出器ステージ７５は、第１に、発振器回路１０Ａにより送出可能なキャリヤ信号ＣＳが供給され、第２に、周波数分割器ステージ７９によって送出可能な比較信号ＣＣＳが供給可能である。位相／周波数検出器ステージ７５は、キャリヤ信号ＣＳと比較信号ＣＣＳとの間の位相／周波数差を検出し、この差を表す検出信号ＤＳをループフィルタステージ７６に送出するように設計される。
【００８６】
ループフィルタステージ７６は、検出信号ＤＳを低域通過フィルタリングし、フィルタ検出信号ＤＳを表す電圧制御信号ＵＶＣＯを電圧／電流変換ステージ７７に出力するように設計される。
【００８７】
電圧／電流変換ステージ７７は、電圧制御信号ＵＶＣＯを、電圧制御信号ＵＶＣＯを表す電流制御信号ＩＣＣＯに変換し、電流制御信号ＩＣＣＯを電流制御されたリング発振器ステージ７８に出力するように設計される。
【００８８】
電流制御されたリング発振器ステージ７８は、第１のインバータ回路８１と、第２のインバータ回路８２と、第３のインバータ回路８３を有し、それらは、直列回路としてリング状に接続され、それに、電力供給接続で電流制御信号ＩＣＣＯが供給されるため、動作中、リング発振器ステージ電圧供給ＶＣＣＯが、インピーダンス変換器ステージ８０を介してキャリヤ信号転送手段６７に供給可能なこれらの電力供給接続位置に存在する。第３のインバータ回路の出力８３から、キャリヤ周波数８６８ＭＨｚを有するキャリヤ信号ＣＳは、キャリヤ信号転送手段６７および周波数分割器ステージ６９に供給可能である。
【００８９】
周波数分割器ステージ７９は、ファクタ６４によって、リング発振器ステージ７８により生成可能なキャリヤ信号ＣＳの周波数を分割するように設計され、それによって、周波数分割器ステージ７９を介して位相／周波数検出器ステージ７５に出力可能な比較信号ＣＣＳを生成できる。これによって、発振器ステージ１０Ａによって生成されるキャリヤ信号ＣＳと、キャリヤ信号転送手段６７で出力されたキャリヤ信号ＣＳとの間の厳密な周波数／位相比率が確保される。ステージ７５から７９は、周波数逓倍ステージ５４を構成する。
【００９０】
電流制御されたリング発振器７８を与え、インバータ回路８１から８３の電力供給接続で設定されたリング発振器供給電圧ＶＣＣＯにアクセスすることによって、キャリヤ信号転送手段に対する電圧供給ＶＣが得られ、これは、回路２のすべてのトランジスタの生産プロセスおよび回路２の温度から独立し、厳密な位相／周波数比率により、回路２のトランジスタの品質にその値を自動的に適応するという利点が得られる。すなわち、具体的に言えば、低品質のトランジスタの場合、リング発振器供給電圧ＶＣＣＯが、厳密な位相／周波数比率を達成するために、より高い品質のトンランジスタの場合より高く設定されるということである。リング発振器電力供給ＶＣＣＯをこのように自動的に設定することにより、修正された制御信号Ｃ１'からＣ４'の信号レベルの相関適応が得られ、これは、この信号レベルが、キャリヤ信号転送手段の電圧供給ＶＣに依存しているためである。したがって、キャリヤ信号転送手段６７に対して、論理値１を表す修正された制御信号Ｃ１'からＣ４'が、電流伝達ステージ６３から６６を形成する回路２のトランジスタのそれぞれに品質適応された信号レベルを常に有することが確実とされる。結果的に、調節手段１３は、キャリヤ信号ＣＳをさらに利用して、４つの振幅Ａ１からＡ４を調節するように設計されることが有益である。
【００９１】
この文脈において、調節手段１３が、キャリヤ信号転送手段に対して電圧供給ＶＣをプログラム可能に変化するように設計可能であることに留意されたい。これは、図７に、破線のブロック８４で示されており、キャリヤ信号転送手段に対する電圧供給ＶＣを修正するように設計され、転送手段に対する電圧供給手段７４の後に接続された制御可能な修正ステージを構成する。この文脈において、第５の制御信号Ｃ５を用いて修正ステージを制御することができ、第５の制御信号Ｃ５は、例えば、データソース４４において利用可能なデータワードＤＷ１からＤＷ４のビットの１つ、特に、この場合において必要であれば、これに対して第５のビットが与えられ、または、データワードＤＷ１からＤＷ４から独立したビットを利用して生成することもできる。修正ステージを用いて、振幅変調信号Ｓの４つの振幅Ａ１からＡ４のグループ化調節がプログラム可能に実行されることによって、図１１に関して説明した高電力範囲ＰＨおよび低電力範囲ＰＬにおける振幅変調信号Ｓの電力Ｐのグループ化を実行することができるという利点が得られる。
【００９２】
図９は、振幅変調信号Ｓを用いて制御情報を送出するように設計されたデバイス１を示し、振幅変調信号Ｓは、２つの振幅Ａ１およびＡ２の間の振幅シフトによって規定され、第２の振幅Ａ２は、１００％の変調度の振幅変調に対応する値０を有する。
【００９３】
デバイス１は、多数の２５６電流伝達ステージを有し、この多数の電流伝達ステージに対して、第１のステージ６３が典型的に示されている。また、デバイス１は、多数の２５６キャリヤ信号転送ステージを有し、この多数のキャリヤ信号転送ステージに対して、第１のステージ６８が典型的に示されている。また、デバイス１は、第２のデータワードＤＷ２を与えるようにされた、８個のレジスタのグループ８５を有し、この８個のレジスタのグループ８５に対して、第１のレジスタ８６が典型的に示されている。この場合、データソース４４は、データ処理手段５７の部品を用いて、８個のレジスタのグループ８５を用いて与えられる。８個のレジスタに対応して、第１のデータワードＤＷ１は、８ビットを有する。８個のレジスタの各々は、参照電位ＧＮＤに接続される。８個のレジスタは、参照電位ＧＮＤに対して制御信号Ｃを負荷するように与えられる。
【００９４】
この場合、調節データワード選択手段４３を用いて、第１のデータワードＤＷ１が選択され、この場合、制御信号Ｃは、第１のデータワードＤＷ１によって決定され、これは、８個のレジスタからの制御信号Ｃの負荷が、この場合、８個のレジスタの寸法により重要でないためである。また、調節データワード選択手段４３は、第１のデータワードＤＷ１を選択しないように設計され、この場合、８個のレジスタが、論理値０を表す第２のデータワードＤＷ２として作用するため、制御信号Ｃは、論理値０を有する。この場合、第１のデータワードＤＷ１は、振幅変調信号Ｓの変調されていない場合を表す第１の振幅Ａ１を調節するように作用する。第２のデータワードＤＷ２は、振幅変調信号Ｓの振幅の１００パーセント変調を生成するように作用し、電流伝達手段６１のすべての電流伝達ステージを、ブロック状態に制御することができる。この文脈において、８個のレジスタのグループ８５は、第２のデータワードＤＷ２を与えるために、供給電圧Ｖまたは参照電位ＧＮＤと任意の方法で接続することができることによって、１００パーセント変調から逸脱した変調を実行することができることに留意されたい。
【００９５】
また、制御手段４９は、復号ステージ４２を有し、この場合、第１の調節データワードＤＷ１および第２の調節データワードＤＷ２を受信し、復号された調節データワードＤＷ１またはＤＷ２に応じて伝導状態に対して複数の電流伝達ステージを制御するように設計される。
【００９６】
振幅の１００パーセント変調と関連して、調節データワード選択手段４３および８個のレジスタのグループ８５は、ＡＮＤゲートのグループによって与えられ、それに対して、それぞれの場合に、第１に、第１の入力でデータ信号が供給され、第２の入力で第１のデータワードの１ビットを供給することができることが観察される。
【００９７】
また、この場合、回路２の低電力消費が望ましければ、本発明による実施形態において、伝導率および８つのキャリヤ信号供給状態に対してバイナリ加重された８個のトランジスタが与えられることが有益であるため、復号ステージ４２を省略することができる。
【００９８】
キャリヤ周波数転送手段６７が、送信手段５６と振幅規定手段６０との間に含まれることが観察されたい。この場合、キャリヤ周波数転送手段６７は、単一のトランジスタを用いて与えられることができる。
【００９９】
さらに、デバイス１において、プログラム可能に、データ信号ＤＳに応じて、少なくとも２つの周波数を調整し、変調された信号の少なくとも１つの振幅を調節するように設計された調節手段が与えられることが観察される。これは、例えば、少なくとも１つが調節可能な２つの振幅間の振幅シフトと、振幅の少なくとも１つが存在する場合に少なくとも２つの調節可能な周波数間の周波数シフトとの両方を有する変調信号が生成されれば有益である。これは、例えば、少なくとも２つの調節可能な周波数間の周波数シフトと、周波数の少なくとも１つが存在する場合に少なくとも１つが調節可能な少なくとも２つの振幅間の振幅シフトとを有する変調信号が生成されればさらに有益である。
【０１００】
また、多数の電流伝達ステージが、伝導特性に対してグループ化されたトランジスタを用いて形成可能であることが観察される。
【０１０１】
上記記載において、本発明によるデバイス１の一例として、遠隔制御デバイスを記載した。しかしながら、本発明による手段が、例えば、より高度なデバイスまたはシステムの部分を構成し、任意の情報を送信するように作用できる他のデバイスで使用することもでき、データは、周波数シフトおよび／または振幅シフトを用いて送信されることに特に留意されたい。
【０１０２】
また、例えば、データ信号ＤＳが８ビットを有し、調節データワード選択手段４３は、データ信号ＤＳに応じて、２５６データワードの１つを選択するように設計され、これらのデータワードの各々は、データ信号ＤＳより少なくとも１ビット多いため、この場合、２５６個の特徴信号値を調節することができることが観察される。
【図面の簡単な説明】
【０１０３】
【図１】本発明の第１の実施形態の例による周波数変調手段を備えたデバイスの概略的なブロック回路図である。
【図２】図１によるデバイスの周波数変調手段の部品を形成するコンデンサ構成および回路手段の概略図である。
【図３】図１によるデバイスを用いて生成可能な信号の周波数と、水晶共振子に対して図２によるコンデンサ構成を用いて達成可能な負荷容量の値との間の関数関係を示す概略図である。
【図４】図１によるデバイスを用いて生成可能な信号の周波数と、図２によるコンデンサ構成の負荷容量を達成するために使用されるコンデンサ対の数との間の関数関係を示す、図３に類似した図である。
【図５】本発明の第２の例示的実施形態によるデバイスを示す、図１に例示した図である。
【図６】本発明の第３の実施形態の例による振幅変調手段を備えたデバイスを示す、図１に類似した図である。
【図７】本発明の第４の実施形態の例によるデバイスを示す、図６に類似した図である。
【図８】図７によるデバイスの詳細を概略的に示す図である。
【図９】本発明の第５の実施形態の例によるデバイスを示す、図６に類似した図である。
【図１０】図６によるデバイスの振幅変調手段を用いて生成可能であり、各々が４ビットを有する４つの調節データワードを用いた振幅変調信号の４つの振幅の調節を表形式で示した図である。
【図１１】調節データワードの２つのグループを利用して、図６によるデバイスの振幅変調手段を用いて生成可能な振幅変調信号の４つの調節された振幅の振幅変調信号の電力に対するグループ化を示す、図１０に類似した図である。
【図１】
2005510929.tif 000003
【図２】
2005510929.tif 000004
【図３】
2005510929.tif 000005
【図４】
2005510929.tif 000006
【図５】
2005510929.tif 000007
【図６】
2005510929.tif 000008
【図７】
2005510929.tif 000009
【図８】
2005510929.tif 000010
【図９】
2005510929.tif 000011
【図１０】
2005510929.tif 000012
【図１１】
2005510929.tif 000013
【国際調査報告】
2005510929.tif 000014
2005510929.tif 000015
2005510929.tif 000016
2005510929.tif 000017
2005510929.tif 000018